(57)【要約】【課題】本発明は、被削材を切断、研削、切削する電動工具から排出される屑の集塵・搬送を行う電動工具用集塵機におけるリモートコントロール装置に関するものであり、電動工具を使用している場所から動かずに電動工具と集塵機の起動・停止が簡単にでき、使用する電動工具の電気的容量１５Ａまで使用でき、作業能率のアップと作業環境の改善を図ることである。【解決手段】使用する電動工具と集塵機４のそれぞれの電源コード８を別電源に接続し、信号を送信するリモコン送信器９と該リモコン送信器９からの信号処理を行い駆動装置１７を介して集塵機４のモータ１の起動・停止の指示をするリモコン受信器１０を集塵機４のヘッド部１１適所に配置する。【選択図】　　　図１
2004073683.tif 000002
【特許請求の範囲】
【請求項１】
駆動源であるモータと、該モータによって回転される集塵ファンと、該ファンを収容するヘッド部と、該ヘッド部に設け且つ前記モータを制御するためのスイッチと、該スイッチを有する前記ヘッド部の下方に位置し且つ前記集塵ファンにより搬送される粉塵を収納するためのタンク部と、該タンク部の接続部に取り付けられるダクトホースと、該ダクトホースに着脱可能な電動工具とを備えた集塵機において、前記集塵機と前記電動工具に設けた電源コードをそれぞれ電源に接続し、信号を送信するリモコン送信器と該リモコン送信器からの信号を受信し駆動装置を介して前記モータを起動・停止するリモコン受信器を設けることを特徴とする集塵機。
【請求項２】
信号を送信する前記リモコン送信器からの信号を受信し前記駆動装置を介して前記モータを起動・停止する前記リモコン受信器と前記電源コードから供給される電源をオン／オフ、前記モータを起動・停止する電源スイッチの２種類のモータ起動・停止手段を設け、前記２種類のモータの起動・停止手段を切替えする切替えスイッチを集塵機の前記ヘッド部に設けることを特徴とする請求項１記載の集塵機。
【請求項３】
信号を送信する前記リモコン送信器の適所に断面がほぼＵ字形の引っ掛け用フック形状を有することを特徴とする請求項１記載の集塵機。
【請求項４】
信号を送信する前記リモコン送信器の収納部或いは係止部を前記ヘッド部に設けることを特徴とする請求項１記載の集塵機。
【請求項５】
前記リモコン送信器の収納部或いは係止部の適所に凹凸形状を形成させ、それにはめ合うよう前記リモコン送信器の外装部に凹凸形状を形成することを特徴とする請求項１記載の集塵機。
【発明の詳細な説明】
【０００１】
【発明の属する技術分野】
本発明は、被削材を切断、研削、切削等を行う手持ち形電動工具の屑排出口から集塵機まで延長したホースで接続された集塵機のリモートコントロール装置に関するものである。
【０００２】
【従来の技術】
従来の技術を図６及び図７を用いて説明する。被削材１２を切断、研削、切削等を行う手持ち形電動工具と集塵機４を組み合わせて、電動工具から排出される屑の集塵、搬送を行う集塵機４は、大きく分けて２種類の方式がある。
【０００３】
第一の方式は図６に示す矢印方向に向け被削材１２の切断作業を行っている状態において、図示しないモータ、及び集塵ファンを内蔵した集塵機４から手持ち形電動工具の一つである丸鋸５の切断粉排出口６までホース７が接続されており、またそれぞれの電源コード８は元電源に接続してある。よって丸鋸５と集塵機４それぞれに起動・停止用スイッチを有している。まず集塵機４の図示してない起動・停止用スイッチをＯＮさせ、モータ、集塵ファンを介してホース７内に吸引力を発生させる。次に電動工具の一つである丸鋸５の所まで移動して、起動・停止用スイッチをＯＮさせ丸鋸５を切断作業可能状態にする。次に丸鋸５を矢印方向に向け被削材１２の切断作業を開始すると、吸引力により丸鋸５の切断粉排出口６からホース７を介して集塵機４内部に切断による切断粉が搬送・集塵される。切断作業が終了すると丸鋸５の起動・停止用スイッチをＯＦＦさせ、移動して集塵機４の起動・停止用スイッチをＯＦＦさせる。ホース７の長さは作業内容により異なるが、一般的には５ｍ〜１０ｍが最も多い。よって上記作業によると、作業開始と終了毎５ｍ〜１０ｍを往復することになる。また切断作業終了後、丸鋸５のみ起動・停止用スイッチをＯＦＦさせることでも良い。しかし騒音に関する条例や作業環境上の問題から集塵機を連続運転しているのは問題である。また省エネルギーの観点からも好ましくない。
【０００４】
第二の方式は図７の方式である。集塵機４は、図示してない集塵ファンを回転するモータ、電動工具接続用のコンセント１８、該コンセント１８の使用電流値を検出してモータの起動・停止する連動装置を有し、電源コード８に接続されている。前記コンセント１８に電動工具の電源コード８を接続すると、該電動工具と集塵機４の電源は集塵機４の電源コード８一本から供給される構成になっている。電動工具の一つである丸鋸５を起動すると、連動装置を介して集塵機４のモータが回転する。該モータにより集塵ファンが回転し発生した吸引力で、電動工具から排出された屑がホース７を介して集塵機４内に集塵、或いは搬送される。また電動工具の一つである丸鋸５を停止すると、連動装置を介して集塵機４のモータが停止する。集塵機４は、建築作業現場で使用されることが多いことから、電源は１００Ｖ品が一般的である。よって上記したように電源は集塵機４の電源コード８一本から供給するため、集塵機４或いは接続する電動工具のどちらかの電気的容量が規制される。一般的な集塵機４は必要吸引力の問題からモータ容量は、１０Ａ〜１２Ａ程度である。よって電源コード８、プラグの容量は１００Ｖで１５Ａであるため、必然的に接続できる電動工具の容量は３Ａ〜５Ａになる。しかし、現実的には業務用に使用できる電動工具に限定すると３Ａ〜５Ａ容量の電動工具ではパワーが小さく使用不能である。業務用で実際に使用している電動工具は７Ａ〜１２Ａのものがほとんどである。よって上記第二の方式は、業務用としては使用しにくいものであった。
【０００５】
【発明が解決しようとする課題】
上記したように第一の方式は、使用する電動工具の電気的容量は１５Ａ以内で規制されないが、その都度電動工具と集塵機の起動・停止用スイッチを操作しなければならない。それも起動・停止するたび５ｍ〜１０ｍ離れた間を往復しなければならず、作業能率が著しく低下してしまうという問題があった。
【０００６】
また、第二の方式は、電動工具の起動・停止スイッチを操作することで電動工具と集塵機が動作するが、集塵機の電源コード１本から電源供給しているため、接続する電動工具の電気的容量が規制され業務用としては使用できないという問題があった。
【０００７】
本発明の目的は、上記問題を解消し、作業能率が良く、電気的容量の大きい電動工具が使用できる電動工具との組み合わせ集塵機を提供することであり、具体的には電動工具を使用している場所から動かずに電動工具と集塵機の起動・停止が簡単にでき、使用する電動工具の電気的容量規制をなくし、作業能率のアップと作業環境の改善を図ることである。
【０００８】
【課題を解決するための手段】
上記目的は、使用する電動工具と集塵機のそれぞれの電源コードを別電源に接続し、信号を送信するリモコン送信器と該リモコン送信器からの信号処理を行い駆動装置を介して集塵機のモータの起動・停止の指示をするリモコン受信器を集塵機の適所に配置することにより達成される。
【０００９】
【発明の実施の形態】
本実施例における集塵機を図１〜図５を用いて説明する。図１は本実施例における集塵機と電動工具の一つである丸鋸を組み合わせ切断作業をしている状態を示す外観斜視図、図２は集塵機の一部断面を含む正面図、図３は図２の側面図、図４はブロック図、図５はリモコン送信器を示す構成図である。図１〜図５において、モータ１、集塵ファン２及び集塵タンク３を内蔵した集塵機４から手持ち形電動工具の一つである丸鋸５の切断粉排出部６までホース７が接続されている。それぞれの電源コード８は元電源に接続されている。信号を送信するリモコン送信器９と該リモコン送信器９からの信号処理を行い、図示してない駆動装置１７を介して前記モータ１の起動・停止をするリモコン受信器１０をヘッド部１１に配置する。
【００１０】
上記構成において、図示しない丸鋸５のスイッチをＯＮすると丸鋸５が起動する。その場所でリモコン送信器９を操作すると、５ｍ〜１０ｍ離れた集塵機４のヘッド部１１に配置したリモコン受信器１０により、信号を受信し図示してない駆動装置１７を介してモータ１、集塵ファン２が回転して、ホース７内に吸引力が発生する。被削材１２上を矢印方向に向け丸鋸５を移動させ切断作業を開始すると、切断により発生した切断粉がホース７内の吸引力により集塵機４の集塵タンク３内に搬送される。この切断作業を繰り返し行い作業終了後、図示しないスイッチをＯＦＦして丸鋸５を停止させる。次に丸鋸５の位置からリモコン送信器９を操作し５ｍ〜１０ｍ離れたリモコン受信器１０が信号を受信し、駆動装置１７を介して集塵機４のモータ１、集塵ファン２が停止しホース７内の吸引力がなくなる。上記したように集塵機４と丸鋸５はそれぞれの電源コード８から元電源に接続したため、１５Ａ以内で電気的容量に規制されることがなく、集塵機４から５ｍ〜１０ｍ離れた丸鋸５の位置からリモコン送信器９を操作することで、集塵機４の起動・停止できるようにしたため、集塵機４の起動・停止の都度５ｍ〜１０ｍ往復する必要もなく、電動工具と接続して使用する集塵機４の作業能率の大幅向上を図ることができると共に、丸鋸５の起動・停止に合わせ随時集塵機４の起動・停止できるため騒音等の作業環境改善の効果も奏することができる。
【００１１】
また、集塵機４のモータ１を起動・停止する手段を切替える切替スイッチ１３をヘッド部１１に配置する。上記リモコン送信器９からの信号を受信するリモコン受信器１０、駆動装置１７を介してモータ１の起動・停止するリモコン方式と前記切替スイッチ１３を切替えると、電源コード８から供給される電源を直接ＯＮ／ＯＦＦしてモーター１の起動・停止する電源スイッチ方式に切り替わる。上記のように２種類のモーター１の起動・停止手段とした。
【００１２】
上記構成において、切替スイッチ１３を切替えリモコン方式にすれば、前記したリモコン送信器９による操作と動作が可能となる。一方切替スイッチ１３を切替え電源スイッチ方式にすると、電源スイッチをＯＮ／ＯＦＦすることで集塵機４のモータ１、集塵ファン２等が起動・停止する。よって作業内容、好みにより選定でき便利である。
【００１３】
また、信号を送信するリモコン送信器９の適所にフック形状１４を形成したことで、作業者の胸ポケット或いはベルト等にリモコン送信器９を引っかけて置くことができ紛失の防止、作業性の向上をはかることができる。更に上記フック形状１４を弾性の大きい材料、例えばバネ鋼等にすると外れにくくなり便利である。
【００１４】
また、信号を受信するリモコン受信器１０の収納部あるいは係止部１５を集塵機４のモータ１等が配置されたヘッド部１１位置に設けたことにより、収納、運搬、保管時等の場合、便利であり、更には紛失の防止にも役立つ。
【００１５】
また、リモコン送信器９の収納部あるいは係止部１５の適所に凹凸形状１６を形成させ、それにはめ合うようリモコン送信器９の外装部に凹凸形状１６を形成させたため、リモコン送信器９を使用しないとき集塵機４のヘッド部１１に係止できる。また、集塵機４の運搬、移動時の振動等で外れ，落下の心配もないため便利である。凹凸形状１６をリモコン送信器９側面の途中まで形成させることで、リモコン送信器９の挿入方向性をもたせられる。その方向をリモコン送信器９の送信用スイッチ操作面を表面になるようにすることで、収納、係止状態でもリモコン送信器９による集塵機４の起動・停止ができるようになる。
【００１６】
なお、電動工具として丸鋸５を例に説明したが、粉塵等を伴う電動工具であれば丸鋸以外の電動工具でも良い。
【００１７】
【発明の効果】
本発明によれば、使用する電動工具と集塵機のそれぞれの電源コードを別電源に接続し、信号を送信するリモコン送信器と該リモコン送信器からの信号を信号処理し駆動装置を介してモータの起動・停止をするリモコン受信器を集塵機の適所に配置したため、使用する電動工具、集塵機とも電気的容量１５Ａまで使用でき、また集塵機から５ｍ〜１０ｍ延長したホースで接続された電動工具の使用場所からリモコン送信器を操作することで、集塵機の適所に配置したリモコン受信器で信号を受信し駆動装置を介してモーターの起動・停止ができ、５ｍ〜１０ｍ間を往復する必要がないため大幅に作業能率のアップを図ることができる。更に随時必要に応じ集塵機の運転・停止ができることから騒音等の問題も解消され、作業環境も大幅に改善される。
【００１８】
また、集塵機には、リモコン送信器の信号により駆動装置を介してモータの起動・停止の指示をするリモコン受信器と前記モータを起動・停止する電源スイッチの２種類のモータ起動・停止手段を設け、前記２種類のモータの起動・停止手段を切替えする切替えスイッチを配置したため、リモコン送信器による運転と電源スイッチによる運転を作業内容、または好みにより選定でき便利である。
【００１９】
また、信号を送信するリモコン送信器の適所にほぼＵ字形の引っ掛け用フック形状を設けたことで、作業者の胸ポケットあるいはベルト等にリモコン送信器を引っかけて置くことができ紛失の防止、操作性の向上を図ることができる。
【００２０】
また、信号を送信するリモコン送信器の収納部或いは係止部を集塵機のモータ等が配置されたヘッド部に設けたことにより、収納、運搬、保管時等の場合に便利であり、更には紛失の防止にも役立つ。
【００２１】
また、リモコン送信器の収納、係止部に凹凸形状を形成し、それにはまり合うようリモコン送信器の外装面に凹凸形状を形成させたことで、運搬・移動時の振動等による外れ、落下の心配もないため便利である。
【図面の簡単な説明】
【図１】本発明になる集塵機と電動工具の一つである丸のこを組み合わせ、切断作業をしている状態の一実施形態を示す外観斜視図である。
【図２】集塵機の一部断面を含む正面図である。
【図３】図２の側面図である。
【図４】ブロック図である。
【図５】リモコン送信器を示す図である。
【図６】従来技術の第一の方式における集塵機と丸鋸を組み合わせ、切断作業をしている状態を示す外観斜視図である。
【図７】従来技術の第二の方式における集塵機と丸鋸を組み合わせ、切断作業をしている状態を示す外観斜視図である。
【符号の説明】
１はモータ、２は集塵ファン、３は集塵タンク、４は集塵機、６は屑排出口、７はホース、８は電源コード、９はリモコン送信器、１０はリモコン受信器、１１はヘッド部、１３は切替スイッチ、１４は引っ掛け用フック、１５はリモコン送信器の収納部あるいは係止部、１６は凹凸形状、１７は駆動装置である。
【図１】
2004073683.tif 000003
【図２】
2004073683.tif 000004
【図３】
2004073683.tif 000005
【図４】
2004073683.tif 000006
【図５】
2004073683.tif 000007
【図６】
2004073683.tif 000008
【図７】
2004073683.tif 000009